(57)【要約】 【課題】  情報端末装置の識別情報に秘匿性を付与する。【解決手段】  携帯電話機のユーザＩＤ等をインターネットのウェブサイトへ送信する際に、ユーザＩＤ等のよみを入力部１２からＣＰＵ１４に入力する。ＣＰＵ１４はＲＡＭ２２からユーザＩＤ等を読み出す。ユーザＩＤ等は秘匿である旨の属性を予め与えてＲＡＭ２２に登録しておくと、ＣＰＵ１４がそのユーザＩＤ等を読み出したとき、読み出されたユーザＩＤ等はその一部が他の記号に置き換えられて表示部１８に表示される。【選択図】図１
2005092687.tif 000002
【特許請求の範囲】
【請求項１】
単語をユーザ辞書部に登録し、登録された前記単語を検索キーで読み出し、読み出された前記単語を表示装置に表示する際、所定の前記単語の一部又は全部を秘匿にして表示する単語秘匿表示方法であって、
前記単語と、前記単語を前記表示装置に表示する際、前記単語を別の文字、図形又は符号で表示するか否かを指定する属性情報とを前記検索キーで対応付けて登録し、
前記ユーザ辞書部に登録されている所定の前記単語を前記検索キーで読み出すとき、対応付けられている前記属性情報を参照して当該属性情報が秘匿のときは、当該単語の一部又は全部を別の文字、図形又は符号に置き換えて前記表示装置に表示させることを特徴とする単語秘匿表示方法。
【請求項２】
前記ユーザ辞書部に登録された単語は、複数の候補単語であることを特徴とする請求項１記載の単語秘匿表示方法。
【請求項３】
前記ユーザ辞書部に登録された単語は、送信側の情報端末装置をインターネットに接続させるのに用いられる前記情報端末装置のユーザＩＤ及び又はパスワードであることを特徴とする請求項１又は２記載の単語秘匿表示方法。
【請求項４】
前記置き換えは、前記置き換えの指定情報に基づいて行うことを特徴とする請求項１、２又は３記載の単語秘匿表示方法。
【請求項５】
単語を情報処理装置のユーザ辞書部に登録する単語登録方法であって、
前記単語及び検索キーを入力し、
前記単語を前記表示装置に表示する際、前記単語を別の文字、図形又は符号で表示するか否かを指定する属性情報を入力し、
前記単語、前記検索キー及び前記属性情報の入力が終了したとき前記単語、前記検索キー及び前記属性情報を前記検索キーで読み出し可能にユーザ辞書部に登録することを特徴とする単語登録方法。
【請求項６】
前記ユーザ辞書部に登録される前記単語は、複数の候補単語であることを特徴とする請求項５記載の単語登録方法。
【請求項７】
前記ユーザ辞書部に登録される前記単語は、送信側の情報端末装置をインターネットに接続させるのに用いられる前記情報端末装置のユーザＩＤ及び又はパスワードであることを特徴とする請求項５又は６記載の単語登録方法。
【請求項８】
単語を検索キーで読み出し可能に登録するユーザ辞書部と、表示装置とを有する情報処理装置の前記ユーザ辞書部から前記単語を前記検索キーで読み出し、読み出された前記単語を前記表示装置に表示する際、所定の前記単語の一部又は全部を秘匿にして表示する単語秘匿表示装置であって、
前記ユーザ辞書部を、前記単語と、前記単語を前記表示装置に表示する際、前記単語を別の文字、図形又は符号で表示するか否かを指定する属性情報とを前記検索キーで対応付けて登録するユーザ辞書部として構成し、
該ユーザ辞書部に登録されている所定の前記単語を前記検索キーで読み出すとき、対応付けられている前記属性情報を参照して当該属性情報が秘匿のときは当該単語の一部又は全部を別の文字、図形、符号に置き換えて前記表示装置に表示させる表示制御手段を備えたことを特徴とする単語秘匿表示装置。
【請求項９】
前記ユーザ辞書に登録された前記単語は、複数の候補単語であることを特徴とする請求項８記載の単語秘匿表示装置。
【請求項１０】
前記ユーザ辞書に登録された前記単語は、送信側の情報端末装置をインターネットに接続させるのに用いられる前記情報端末装置のユーザＩＤ及び又はパスワードであることを特徴とする請求項８又は９記載の単語秘匿表示装置。
【請求項１１】
前記表示制御手段は、前記置き換えを前記置き換えの指定情報に基づいて行うように構成されていることを特徴とする請求項８，９又は１０記載の単語秘匿表示装置。
【請求項１２】
単語を情報処理装置のユーザ辞書部に登録する単語登録装置であって、
前記単語及び検索キーを入力する第１の入力手段と、
前記単語を前記表示装置に表示する際、前記単語を別の文字、図形又は符号で表示するか否かを指定する属性情報を入力する第２の入力手段と、
前記第１の入力手段によって前記単語及び前記検索キーが入力され、前記第２の入力手段によって前記属性情報が入力されたとき前記単語、前記検索キー及び前記属性情報を前記検索キーで読み出し可能に前記ユーザ辞書部に登録させる登録制御手段とを備えたことを特徴とする単語登録装置。
【請求項１３】
前記ユーザ辞書に登録される前記単語は、複数の候補単語であることを特徴とする請求項１２記載の単語登録装置。
【請求項１４】
前記ユーザ辞書に登録される前記単語は、送信側の情報端末装置をインターネットに接続させるのに用いられる前記情報端末装置のユーザＩＤ及び又はパスワードであることを特徴とする請求項１２又は１３記載の単語登録装置。
【発明の詳細な説明】
【技術分野】
【０００１】
この発明は、単語秘匿表示方法及びその装置並びに単語登録方法及びその装置に関し、詳しくは入力された単語を表示しようとするとき当該単語に秘匿性を与える単語秘匿表示方法及びその装置並びに登録しようとする単語に秘匿情報を付与する単語登録方法及びその装置に関する。
【背景技術】
【０００２】
従来、携帯電話機等でウェブサイトを観覧する際に、その携帯電話機等を使用するユーザが自己をインターネットに認識させるために、ユーザが自己のユーザＩＤ及びパスワードを入力しなければならない。
図８は、従来の携帯電話機の構成を示す図で、携帯電話機は、入力部１０２、ＣＰＵ１０４、周辺制御回路１０６、表示部１０８、ＲＯＭ１１０、ＲＡＭ１１２、無線部２４、変復調部２６、スピーカ２８、受話部３０及び送話部３２を有して構成される。入力部１０２、ＣＰＵ１０４、周辺制御回路１０６、表示部１０８、ＲＯＭ１１０及びＲＡＭ１１２は、ユーザＩＤ及びパスワードの入力に関連する構成要素である。
【０００３】
従来のユーザＩＤ及びパスワードの入力の仕方を図８を参照して説明する。
ユーザは、入力したいユーザＩＤの各文字を順次入力して行く。ユーザが入力しようとする文字は、入力部１０２のキーの押下により入力される。ユーザＩＤ及びパスワードが数字のみから成るときは、その数字に対応する数字キーを押下すればよい。
【０００４】
ユーザＩＤ及びパスワードにひらがな文字、アルファベット文字を含む場合には、そのひらがな文字、アルファベット文字を入力しなければならないが、携帯電話機の場合には、文字キーの数に極度の制限があるため、数字キーにひらがな文字、アルファベット文字も割り付けている。例えば、ひらがな文字５０音のうちの各行のひらがな文字は、１０個のキーのうちの対応するキーに割り付けられており、２６個のアルファベット文字のうちの３個ずつが９個のキーのうちの対応するキーに割り付けられている。
【０００５】
例えば、ひらがな文字５０音のあ行は、「１」の数字キーに割り付けられており、あ行の各ひらがな文字は、「１」の数字キーの押下回数によってＣＰＵ１０４で識別するようにしている。すなわち、１回目の「１」の数字キーの押下で「あ」を識別し、２回目の「１」の数字キーの押下で「い」を識別し、３回目の「１」の数字キーの押下で「う」を識別し、４回目の「１」の数字キーの押下で「え」を識別し、５回目の「１」の数字キーの押下で「お」を識別する。
【０００６】
このようにしてユーザが入力した文字は、ＣＰＵ１０４の制御の下に周辺制御回路１０６を介して表示部１０８に表示され、表示部１０８に表示された文字をユーザが視認してＯＫであれば、その入力した文字を確定する。
【０００７】
入力したユーザＩＤ及びパスワードの中に漢字がある場合には、その漢字のひらがな文字によるよみを入力部１０２から入力する。そのよみはＣＰＵ１０４に通知される。ＣＰＵ１０４は、そのよみで辞書１１２を検索して同一のよみに対応する単語の各々を読み出す。ＣＰＵ１０４は、読み出された各単語の一覧表を表示部１０８に表示してユーザの選択を待つ。
表示部１０８に表示されている一覧の単語のうちから入力を意図している単語を選択して当該単語を確定する。
【０００８】
上述したようにして、ユーザＩＤ及びパスワード、すなわち、数字、ひらがな文字及び又は漢字の組み合わせを入力することにより、インターネットのウェブサイトへのアクセスが可能になる。
【０００９】
特開平８−２３７７１０号公報には、送信側から送信され情報表示装置で受信された受信メッセージに基づいて伝言内容を引用されたとき、その伝言内容に非表示フラグが立てられているならば上記伝言内容を非表示にする技術が記載されている。
【００１０】
また、特開平８−２４１３１５号公報には、文書処理装置における単語辞書を拡充する１つの手段として、登録される単語に属性情報を付加する技術が記載されている。
【特許文献１】特開平８−２３７７１０号公報
【特許文献２】特開平８−２４１３１５号公報
【発明の開示】
【発明が解決しようとする課題】
【００１１】
上述したようにして、インターネットのウェブサイトの観覧において必要なユーザＩＤ及びパスワードの入力を従来方法によっても行うことはできる。
しかしながら、ユーザＩＤ及びパスワードの入力に必要の単語の入力において、その単語を順次入力してそのまま一覧表示しているので、ユーザＩＤ及びパスワードが第三者に漏洩するおそれがある。
【００１２】
特開平８−２３７７１０号公報に記載される技術は、情報表示装置で受信した受信メッセージで引用した伝言内容を表示するか非表示にするかの制御に係る技術に留まるし、また、特開平８−２４１３１５号公報に記載される技術は、文書処理装置において登録される単語に属性情報を付加する技術に留まり、いずれの技術も他の用途に使用することについては何らの指摘もなく、そのような具体的な使途への技術的開示はない。
【００１３】
この発明は、上述の事情に鑑みてなされたもので、入力された単語を第三者に認識させることなく当該単語を表示し得る単語秘匿表示方法及びその装置並びに登録しようとする単語に秘匿情報を付与する単語登録方法及びその装置を提供することを目的としている。
【課題を解決するための手段】
【００１４】
上記課題を解決するために、請求項１記載の発明は、単語をユーザ辞書部に登録し、登録された上記単語を検索キーで読み出し、読み出された上記単語を表示装置に表示する際、所定の上記単語の一部又は全部を秘匿にして表示する単語秘匿表示方法に係り、上記単語と、上記単語を上記表示装置に表示する際、上記単語を別の文字、図形又は符号で表示するか否かを指定する属性情報とを上記検索キーで対応付けて登録し、上記ユーザ辞書部に登録されている所定の上記単語を上記検索キーで読み出すとき、対応付けられている上記属性情報を参照して当該属性情報が秘匿のときは、当該単語の一部又は全部を別の文字、図形又は符号に置き換えて上記表示装置に表示させることを特徴としている。
【００１５】
請求項２記載の発明は、請求項１記載の単語秘匿表示方法に係り、上記ユーザ辞書部に登録された単語は、複数の候補単語であることを特徴としている。
【００１６】
請求項３記載の発明は、請求項１又は２記載の単語秘匿表示方法に係り、上記ユーザ辞書部に登録された単語は、送信側の情報端末装置をインターネットに接続させるのに用いられる上記情報端末装置のユーザＩＤ及び又はパスワードであることを特徴としている。
【００１７】
請求項４記載の発明は、請求項１、２又は３記載の単語秘匿表示方法に係り、上記置き換えは、上記置き換えの指定情報に基づいて行うことを特徴としている。
【００１８】
請求項５記載の発明は、単語を情報処理装置のユーザ辞書部に登録する単語登録方法に係り、上記単語及び検索キーを入力し、上記単語を上記表示装置に表示する際、上記単語を別の文字、図形又は符号で表示するか否かを指定する属性情報を入力し、上記単語、上記検索キー及び上記属性情報の入力が終了したとき上記単語、上記検索キー及び上記属性情報を上記検索キーで読み出し可能にユーザ辞書部に登録することを特徴としている。
【００１９】
請求項６記載の発明は、請求項５記載の単語秘匿方法に係り、上記ユーザ辞書部に登録される上記単語は、複数の候補単語であることを特徴としている。
【００２０】
請求項７記載の発明は、請求項５又は６記載の単語登録方法に係り、上記ユーザ辞書部に登録される上記単語は、送信側の情報端末装置をインターネットに接続させるのに用いられる上記情報端末装置のユーザＩＤ及び又はパスワードであることを特徴としている。
【００２１】
請求項８記載の発明は、単語を検索キーで読み出し可能に登録するユーザ辞書部と、表示装置とを有する情報処理装置の上記ユーザ辞書部から上記単語を上記検索キーで読み出し、読み出された上記単語を上記表示装置に表示する際、所定の上記単語の一部又は全部を秘匿にして表示する単語秘匿表示装置に係り、上記ユーザ辞書部を、上記単語と、上記単語を上記表示装置に表示する際、上記単語を別の文字、図形又は符号で表示するか否かを指定する属性情報とを上記検索キーで対応付けて登録するユーザ辞書部として構成し、該ユーザ辞書部に登録されている所定の上記単語を上記検索キーで読み出すとき、対応付けられている上記属性情報を参照して当該属性情報が秘匿のときは当該単語の一部又は全部を別の文字、図形、符号に置き換えて上記表示装置に表示させる表示制御手段を備えたことを特徴としている。
【００２２】
請求項９記載の発明は、請求項８記載の単語秘匿表示装置に係り、上記ユーザ辞書に登録された上記単語は、複数の候補単語であることを特徴としている。
【００２３】
請求項１０記載の発明は、請求項８又は９記載の単語秘匿表示装置に係り、上記ユーザ辞書に登録された上記単語は、送信側の情報端末装置をインターネットに接続させるのに用いられる上記情報端末装置のユーザＩＤ及び又はパスワードであることを特徴としている。
【００２４】
請求項１１記載の発明は、請求項８，９又は１０記載の単語秘匿表示装置に係り、上記表示制御手段は、上記置き換えを上記置き換えの指定情報に基づいて行うように構成されていることを特徴としている。
【００２５】
請求項１２記載の発明は、単語を情報処理装置のユーザ辞書部に登録する単語登録装置に係り、上記単語及び検索キーを入力する第１の入力手段と、上記単語を上記表示装置に表示する際、上記単語を別の文字、図形又は符号で表示するか否かを指定する属性情報を入力する第２の入力手段と、上記第１の入力手段によって上記単語及び上記検索キーが入力され、上記第２の入力手段によって上記属性情報が入力されたとき上記単語、上記検索キー及び上記属性情報を上記検索キーで読み出し可能に上記ユーザ辞書部に登録させる登録制御手段とを備えたことを特徴としている。
【００２６】
請求項１３記載の発明は、請求項１２記載の単語登録装置に係り、上記ユーザ辞書に登録される上記単語は、複数の候補単語であることを特徴としている。
【００２７】
請求項１４記載の発明は、請求項１２又は１３記載の単語登録装置に係り、上記ユーザ辞書に登録される上記単語は、送信側の情報端末装置をインターネットに接続させるのに用いられる上記情報端末装置のユーザＩＤ及び又はパスワードであることを特徴としている。
【発明の効果】
【００２８】
この発明によれば、ユーザ辞書部に単語と属性情報（秘匿情報）とを検索キーで対応付けて登録して置き、所定の単語を入力する際に、その単語を検索キーで読み出して表示装置に表示するとき、属性情報が秘匿のときは当該単語の一部又は全部を別の文字、図形、符号に置き換えて表示装置に表示させるので、表示された単語が第三者に認識されず、単語の秘匿性は担保される。
上記置き換えをするか否かを指定することにより、単語の一部又は全部を置き換えて、又はそのまま表示して使用者は視認することもできる。
【発明を実施するための最良の形態】
【００２９】
この発明の実施は、単語の入力において、単語と属性情報とをユーザ辞書部に検索キーで対応付けて予め登録することと、単語を読み出すとき属性情報が秘匿のときは検索キーで読み出された単語の一部又は全部を別の文字等に置き換えて表示することとを用いて構成する。
【実施例１】
【００３０】
図１は、この発明の実施例１である単語秘匿表示装置の構成を示す図、図２は、同単語秘匿表示装置のユーザ辞書部の構成例を示す図、図３は、同単語秘匿表示装置において単語登録の処理手順を示すフローチャート、また、図４は、同単語秘匿表示装置において単語入力の処理手順を示すフローチャートである。
【００３１】
この実施例の単語秘匿表示装置１０は、単語を入力する際に当該単語を表示装置に表示したとき第三者により認識されることなくその単語を表示し得る装置（以下、携帯電話機の単語秘匿表示装置についてのもの）に係り、図１に示すように、入力部１２、ＣＰＵ１４、周辺制御回路１６、表示部１８、ＲＯＭ２０及びＲＡＭ２２から構成される。携帯電話機としては、そのほか、無線部２４、変復調部２６、スピーカ２８、受話部３０及び送話部３２を含む。
【００３２】
入力部１２は、キーを含み、該キーの操作によって入力された文字コードデータを周辺制御回路１６に渡すものである。
周辺制御回路１６は、時計の更新、信号の組み立て又は分解等を行うものである。
ＣＰＵ１４は、周辺制御回路１６を介してＲＯＭ２０のプログラムを読み出し、そのプログラムの制御の下に入力部１２でのキー操作内容を入力部１２から取り込み、その内容に基づいた制御を周辺制御回路１６に対して行うものである。
表示部１８は、周辺制御回路１６の制御の下に入力部１２に対して行われるキー操作内容や、着信時の情報を表示するものである。
ＲＯＭ２０は、プログラムや、固定データ等を記憶して置くものである。
ＲＡＭ２２は、プログラムが動作するためのデータ等を記憶するもの（その第1の領域を辞書部２１として使用し、第2の領域をユーザ辞書部２３として使用する）である。
【００３３】
ＲＯＭ２０に記憶されるプログラムには、図３のフローチャートに示す単語登録の処理手順をＣＰＵ１４で実行する単語登録プログラムと、図４のフローチャートに示す単語入力の処理手順をＣＰＵ１４で実行する単語入力プログラムとがある。
【００３４】
携帯電話機に装備される無線部２４は、基地局からの電波を受信したり、基地局に対して電波を送信するものであり、変復調部２６は、無線部２４で受信した信号を復調し、その復調データを周辺制御回路１６に渡し、周辺制御回路１６からのデータを変調して無線部１２に渡すものである。
スピーカ２８は、電話の着信時に周辺制御回路１６の制御の下に鳴動し、ユーザに着信があったことを知らせるものである。受話部３０は、周辺制御回路１６からの電気信号を音声に変換してユーザに聴取させるものであり、送話部３２は、ユーザからの音声を電気信号に変換して周辺制御回路１６に渡すものである。
【００３５】
次に、図１乃至図４を参照して、この実施例の動作について説明する。
先ず、図３を参照して単語登録について説明する。ユーザが単語登録プログラムを起動したとき（図３のステップＳ１）、ＣＰＵ１４は、ユーザ辞書部２３の単語領域、よみ領域及び属性領域の初期化を行う（図３のＳ２，Ｓ３、Ｓ４）。
【００３６】
ユーザ辞書部２３の各領域の初期化が完了すると、ＣＰＵ１４は、周辺制御回路１６を介して表示部１８の画面に登録したい単語の入力を要求し、ユーザが入力部１２の数字キーに割り付けられているひらがな文字又はアルファベット文字のいずれかの入力モードを選択し、かつ、その単語を入力するのに必要な入力部１２の１つ乃至は複数のキーをキー毎に１回乃至は複数回押下すると、入力部１２から１回の乃至押下毎のキー情報（例えば、ひらがな文字、アルファベット等）が１回乃至は順次ＣＰＵ１４に転送される。ＣＰＵ１４は、入力されて来る１つ乃至は複数のキー情報対応の文字を確定し、確定されたひらがな文字について漢字変換を行う必要があればそのひらがな文字乃至はひらがな文字群について漢字変換を行なって登録したい単語を確定する（図２の＜爆＞、図３のＳ５）。
【００３７】
登録したい単語の確定後に、ＣＰＵ１４は、当該単語（検索キー）のよみを入力されたい旨を表示部１８の画面上に表示してよみの入力をユーザに対して要求し、ユーザが入力部１２の数字キーに割り付けられているひらがな文字の入力モードを選択し、かつ、そのよみを入力するのに必要な入力部１２の１つ乃至は複数のキーをキー毎に１回乃至は複数回押下すると、入力部１２から１回の押下対応のキー情報乃至は押下毎のキー情報（例えば、ひらがな文字の情報）が１回乃至は複数回ＣＰＵ１４に転送される。ＣＰＵ１４は、入力されて来る１つ乃至は複数のキー情報対応の文字を確定し、かくして上記単語のよみを確定する（図２のよみ領域のばく、図３のＳ６）。
【００３８】
登録したい単語のよみの確定後に、ＣＰＵ１４は、当該単語についての属性を入力されたい旨を表示部１８の画面上に表示して属性の入力をユーザに対して要求し、ユーザが入力部１２の数字キーに割り付けられているひらがな文字の入力モードを選択し、かつ、その属性を入力するのに必要な入力部１２の１つ乃至は複数のキーをキー毎に所定の回数押下すると、入力部１２から１回の押下対応のキー情報乃至は押下毎のキー情報（例えば、ひらがな文字の情報）が順次ＣＰＵ１４に転送される。ＣＰＵ１４は、入力されて来るキー情報対応のひらがな文字を確定し、確定されたひらがな文字について漢字変換を行なって登録したい単語の属性、すなわち、非秘匿又は秘匿を確定する（図２の属性領域の非秘匿又は秘匿、図３のＳ７）。なお、属性が示す秘匿情報は、単語毎に同一であっても、又は異ならしめてもよい。
【００３９】
上述したようにして、登録したい単語、そのよみ及び当該単語の属性の入力を確定した後、その単語、そのよみ及び当該単語の属性を周辺制御回路１６を介して表示部１８に表示して（図３のＳ８）入力した単語の単語登録、単語再編集又は登録中止のいずれか１つの選択をユーザに要求する。ユーザは、入力部１２のキーのうちの選択に割り付けられているキーを押下してそのキー情報をＣＰＵ１４に通知してユーザの確認内容を判定する（図３のＳ９）。
【００４０】
ユーザの確認内容が登録再編集である場合には（図３のＳ９の登録再編集）、ステップＳ５に戻って上述した処理を繰り返し、また、ユーザの確認内容が単語登録である場合には（図３のＳ９の単語登録）、ＣＰＵ１４は、入力した単語、そのよみ及び属性をユーザ辞書部２３に登録して（図３のＳ１０）単語登録処理を終了する（図３のＳ１１）。
ユーザの確認内容が登録中止である場合には（図３のＳ９の登録中止）、入力した単語、そのよみ及び属性を破棄して単語登録処理を終了する（図３のＳ１１）。
【００４１】
次に、単語入力時の処理について図４を参照して説明する。
単語入力の処理が起動されると（図４のステップＳ１）、ＣＰＵ１４は、ユーザ辞書部２３に登録され、読み出したい単語のよみを入力されたい旨の表示を表部１８に行ってユーザにそのよみの入力を要求する。その要求に対してユーザが上記単語のよみを入力部１２の１つ乃至は複数のキーをキー毎に所定回数押下すると（図４のＳ２）、入力部１２から押下されたキー対応のキー情報（単語のよみ）がＣＰＵ１４に順次送られ、ＣＰＵ１４は１つ乃至は所定数のキー情報対応の単語のよみを確定する。
【００４２】
ＣＰＵ１４は、確定した単語のよみに基づいて辞書部２１及びユーザ辞書部２３を検索してよみ対応の候補単語の一覧を作成し、候補単語を確定する（図４のＳ３）。単語候補の確定後、ＣＰＵ１４は、一覧中の候補単語のうちの各候補単語を参照する単語候補番号を０にする（図４のＳ４）。
【００４３】
そして、ＣＰＵ１４は、次の処理を行う。先ず、単語候補番号が単語候補数よりも大きいか否かを判定する（図４のＳ５）。単語候補番号が単語候補数よりも大きくないならば（図４のＳ５のＮ）、当該単語候補番号の単語が、候補単語の属性が秘匿となっている否かを判定する（図４のＳ６）。候補単語の属性が秘匿となっていないならば（図４のＳ６のＮ）、当該候補単語を表示単語とし（図４のＳ７）、候補単語の属性が秘匿となっているならば（図４のＳ６のY）、当該候補単語の一部を「●」に置き換え、その置き換えられた候補単語を表示単語とする（図４のＳ８）。
候補単語の属性が秘匿となっているか否かを問わず、表示単語の確定後、候補番号を１だけカウントアップして（図４のＳ９）ステップＳ５に戻る。
【００４４】
ステップＳ５の判定において、単語候補番号が単語候補数よりも大きくなっているならば（図４のＳ５のＹ）、ＣＰＵ１４は、候補番号と表示単語を表示部１８に表示する（図４のＳ１０）。
【００４５】
この表示を行った後、ＣＰＵ１４は、ユーザに対して表示されている表示単語のうちのいずれの単語を選択したいかを示す単語候補番号の入力要求を表示部１８に行う。この表示に対して、ユーザが入力部１２の複数のキーを押下して候補番号を入力する（図４のＳ１１）。
【００４６】
入力された単語候補番号は、入力部１２からＣＰＵ１４へ転送される。ＣＰＵ１４は、転送されて来た単語候補番号に基づいて対応する単語を確定して（図４のＳ１２）１つの単語の入力処理を終了する（図４のＳ１３）。
【００４７】
このように、この実施例の構成によれば、情報端末装置においてウェブサイトを観覧するのに先立って、予めユーザが自己をインターネットに認識させるユーザＩＤ及びパスワードをよみで読み出し可能で、かつ、ユーザＩＤ及びパスワードの一部の変更した表示を可能にする状態で登録する。そして、ウェブサイトの観覧に際して、よみでユーザＩＤ及びパスワードを読み出したとき、そのユーザＩＤ及びパスワードの一部はユーザＩＤ及びパスワード本来のもので表示されないので、第三者には認識されず、ユーザＩＤ及びパスワードの秘匿性は担保される。
【実施例２】
【００４８】
図５は、この発明の実施例２である単語秘匿表示装置において単語入力の処理手順を示すフローチャートである。
この実施例の構成が、実施例１のそれと異なるところは、ユーザＩＤ及びパスワードを秘匿にする指定があるときのみ、ユーザＩＤ及びパスワードの表示に秘匿性を与えるようにした点である。
すなわち、単語入力の処理手順をＣＰＵ１４で実行する単語入力プログラムが、図５に示すように、図４に示す単語入力プログラムの中に秘匿が指定されているか否かを判定するステップを含ませて構成されたことにこの実施例の特徴がある。
この構成以外のこの実施例の構成は、実施例１と同じであるので、同一の構成部分には同一の参照符号を付して、その逐一の説明は省略する。
【００４９】
次に、図１乃至図３及び図５を参照して、この実施例の動作について説明する。
この実施例における単語登録は、実施例１において図１乃至図３を参照して説明したところと同じである。
また、単語入力の動作も、ユーザＩＤ及びパスワードの入力について秘匿の指定がされているか否かという相違点を除いて、実施例１において図４を参照して説明したところと同じである。
この相違点について以下に具体的に説明する。
【００５０】
実施例１において図４を参照しながら説明したステップＳ１からステップＳ５までの処理は、この実施例においても同じである。
単語候補番号が単語候補数より小さいならば（Ｓ５のＮ）、秘匿が指定されているか否かが判定される（Ｓ５Ａ）。
秘匿が指定されているならば（Ｓ５ＡのＹ）、実施例１と同一の処理が進められる。
秘匿期間が指定されていないならば（Ｓ５ＡのＮ）、処理はステップＳ７へ進む。ステップＳ７以降の処理は実施例１で説明したところと同じである。
【００５１】
したがって、秘匿が指定されている場合には、この発明の秘匿機能は解除されないが、秘匿が指定されていない場合には、この発明の秘匿機能は解除される。
【００５２】
このように、この実施例の構成によれば、実施例１と同様、ウェブサイトの観覧において入力されるユーザＩＤ及びパスワードの秘匿性を享受しつつ、ユーザＩＤ及びパスワードの入力を行い得るほか、その秘匿性の有効又は無効を秘匿の指定に係わらしめることができる。
【実施例３】
【００５３】
図６は、この発明の実施例３である単語秘匿表示装置において単語入力の処理手順を示すフローチャートである。
この実施例の構成が、実施例１のそれと異なるところは、ユーザＩＤ及びパスワードを秘匿にする指定期間内のみ、ユーザＩＤ及びパスワードの表示に秘匿性を与えるようにした点である。
すなわち、単語入力の処理手順をＣＰＵ１４で実行する単語入力プログラムが、図６に示すように、図４に示す単語入力プログラムの中に秘匿が指定されている期間があるか否かを判定するステップを含ませて構成されたことにこの実施例の特徴がある。
この構成以外のこの実施例の構成は、実施例１と同じであるので、同一の構成部分には同一の参照符号を付して、その逐一の説明は省略する。
【００５４】
次に、図１乃至図３及び図６を参照して、この実施例の動作について説明する。
この実施例における単語登録は、実施例１において図１乃至図３を参照して説明したところと同じである。
また、単語入力の動作も、ユーザＩＤ及びパスワードの入力について秘匿する期間が指定されているか否かという相違点を除いて、実施例１において図４を参照して説明したところと同じである。
この相違点について以下に具体的に説明する。
【００５５】
実施例１において図４を参照しながら説明したステップＳ１からステップＳ５までの処理は、この実施例においても同じである。
単語候補番号が単語候補数より小さいならば（Ｓ５のＮ）、秘匿期間が指定されているか否かが判定される（Ｓ５Ｂ）。
秘匿期間が指定されているならば（Ｓ５ＢのＹ）、実施例１と同一の処理が進められる。
秘匿期間が指定されていないならば（Ｓ５ＢのＮ）、処理はステップＳ７へ進む。
ステップＳ７以降の処理は実施例１で説明したところと同じである。
【００５６】
したがって、秘匿期間が指定されている場合には、この発明の秘匿機能は解除されないが、秘匿期間が指定されていない場合には、この発明の秘匿機能は解除される。
【００５７】
このように、この実施例の構成によれば、実施例１と同様、ウェブサイトの観覧において入力されるユーザＩＤ及びパスワードの秘匿性を享受しつつ、ユーザＩＤ及びパスワードの入力を行い得るほか、その秘匿性の有効又は無効を秘匿期間の指定に係わらしめることができる。
【実施例４】
【００５８】
図７は、この発明の実施例４である単語秘匿表示装置での単語登録の処理手順を示すフローチャートある。
【００５９】
この実施例の構成が、実施例１乃至実施例３のそれと異なるところは、単語登録に必要な入力事項毎にその可否を判定するようにした点である。
すなわち、単語登録の処理手順をＣＰＵ１４で実行する単語登録プログラムが、図７に示すように、図３に示す単語登録プログラムでの入力事項、すなわち、単語、よみ及び属性の入力毎にその可否を判定するステップを含ませて構成されたことにこの実施例の特徴がある。
この構成以外のこの実施例の構成は、実施例１乃至実施例３と同じであるので、同一の構成部分には同一の参照符号を付して、その逐一の説明は省略する。
【００６０】
次に、図１、図２、図４乃至図６を参照して、この実施例の動作について説明する。
先ず、この実施例での単語登録について説明する。単語登録プログラムの起動からユーザ辞書部２３の単語領域、よみ領域及び属性領域の初期化までは実施例１乃至実施例３と同じである（図６のＳ１、Ｓ２、Ｓ３、Ｓ４（図３のＳ１、Ｓ２、Ｓ３、Ｓ４そのまま））。
【００６１】
ユーザ辞書部２３の各領域の初期化が完了すると、ＣＰＵ１４は、周辺制御回路１６を介して表示部１８の画面に登録したい単語の入力を要求し、ユーザが入力部１２の数字キーに割り付けられているひらがな文字又はアルファベット文字のいずれかの入力モードを選択し、かつ、その単語を入力するのに必要な入力部１２の１つ乃至は複数のキーをキー毎に１回乃至は複数回押下し、１回の乃至押下毎のキー情報（例えば、ひらがな文字、アルファベット等）が入力部１２から１回乃至は順次ＣＰＵ１４に転送され、ＣＰＵ１４が入力されて来る１つ乃至は複数のキー情報対応の文字を確定し、確定されたひらがな文字について漢字変換を行う必要があればそのひらがな文字乃至はひらがな文字群について漢字変換を行なって登録したい単語を確定する動作は実施例１と同じである（図６のＳ５１（図３のＳ５に相当））。
【００６２】
登録したい単語の確定後に、その単語を表示部１８に表示する（Ｓ５２）。その表示を見て登録したい単語が正しく入力されていないならば（Ｓ５３のＮ）、ステップＳ５１に戻って再度登録したい単語の入力を繰り返す。
【００６３】
登録したい単語が正しく入力されているならば（Ｓ５３のＹ）、ＣＰＵ１４は、当該単語のよみを入力されたい旨を表示部１８の画面上に表示してよみの入力をユーザに対して要求する。
この要求に対するよみの入力の仕方は、実施例１乃至実施例３について説明したところと同じである（Ｓ６１（図３のＳ６に相当））。
【００６４】
登録したい単語のよみの確定後に、そのよみを表示部１８に表示する（Ｓ６２）。その表示を見て登録したい単語のよみが正しく入力されていないならば（Ｓ６３のＮ）、ステップＳ６１に戻って再度登録したい単語のよみの入力を繰り返す。
【００６５】
登録したい単語のよみが正しく入力されているならば（Ｓ６３のＹ）、ＣＰＵ１４は、当該単語の属性を入力されたい旨を表示部１８の画面上に表示して属性の入力をユーザに対して要求する。
この要求に対する属性の入力の仕方は、実施例１乃至実施例３について説明したところと同じである（Ｓ７１（図３のＳ７に相当））。
【００６６】
登録したい単語の属性の入力を確定した後、ＣＰＵ１４は、入力した単語の単語登録又は登録中止のいずれかの選択をユーザに要求する。ユーザは、入力部１２のキーのうちの選択に割り付けられているキーを押下してそのキー情報をＣＰＵ１４に通知してユーザの確認内容をＣＰＵ１４に判定する（図３のＳ９）。
【００６７】
ユーザの確認内容が単語登録である場合には（図６のＳ９の単語登録）、ＣＰＵ１４は、入力した単語、そのよみ及び属性をユーザ辞書部２３に登録して（図６のＳ１０）単語登録処理を終了する（図６のＳ１１）。
ユーザの確認内容が登録中止である場合には（図６のＳ９の登録中止）、入力した単語、そのよみ及び属性を破棄して単語登録処理を終了する（図６のＳ１１）。
【００６８】
このように、この実施例の構成によれば、実施例１と同様、ウェブサイトの観覧において入力されるユーザＩＤ及びパスワードの秘匿性を享受しつつ、ユーザＩＤ及びパスワードの入力を行い得るほか、単語登録に必要な入力事項毎にその入力事項の可否を判定しているから、単語登録における誤入力の頻度を軽減することができる。
【００６９】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記各実施例において示した属性が指定する秘匿又は非秘匿を表す形式は、任意であってよい。
また、よみはその他の検索情報としてもよい。
【産業上の利用可能性】
【００７０】
上記実施例の各々は、携帯電話機についてのものであったが、他の情報端末装置、例えば、有線の情報端末装置へ単語を入力する際に、その表示装置に単語を表示した後に入力したい要求があるところではいずれにおいても実施可能である。
【図面の簡単な説明】
【００７１】
【図１】この発明の実施例１である単語秘匿表示装置の構成を示す図である。
【図２】同単語秘匿表示装置のユーザ辞書部の構成例を示す図である。
【図３】同単語秘匿表示装置での単語登録の処理手順を示すフローチャートである。
【図４】同単語秘匿表示装置での単語入力の処理手順を示すフローチャートである。
【図５】この発明の実施例２である単語秘匿表示装置での単語入力の処理手順を示すフローチャートである。
【図６】この発明の実施例３である単語秘匿表示装置での単語入力の処理手順を示すフローチャートである。
【図７】この発明の実施例４である単語秘匿表示装置での単語登録の処理手順を示すフローチャートである。
【図８】従来の携帯電話機の単語秘匿表示装置の構成を示す図である。
【符号の説明】
【００７２】
１０      単語秘匿表示装置
１２      入力部（表示制御手段の一部、第1の入力手段の一部、第2の入力手段の一部）
１４      ＣＰＵ（表示制御手段の一部、第1の入力手段の一部、第2の入力手段の一部、登録制御手段の一部）
１６      周辺制御回路（表示制御手段の残部、第1の入力手段の一部、第2の入力手段の一部、登録制御手段の一部）
１８      表示部（表示装置、第1の入力手段の残部、第2の入力手段の残部、登録制御手段の残部）
２０      ＲＯＭ
２２      ＲＡＭ（登録手段）
【図１】
2005092687.tif 000003
【図２】
2005092687.tif 000004
【図３】
2005092687.tif 000005
【図４】
2005092687.tif 000006
【図５】
2005092687.tif 000007
【図６】
2005092687.tif 000008
【図７】
2005092687.tif 000009
【図８】
2005092687.tif 000010